(57)【要約】【課題】省電力のために、使用しない給紙装置への給電を行わない制御が考えられる。画像形成装置に接続される給紙装置には、給紙装置への電源が供給されていない場合に手動で開閉できるものと、手動で開閉できないものがあることを考慮して、より省電力に適した給紙装置の電力制御を行う。【解決手段】電源ＯＮの給紙装置の用紙が不足した時に、各給紙装置の給電の有無と用紙情報を取得し、次に給紙する用紙が存在しかつ電源がＯＦＦ時に開閉が不可能な給紙装置がある場合、給紙を開始するのは、次に給紙する用紙が存在してかつ電源がＯＦＦ時に開閉が不可能な給紙装置であることを特徴とする画像形成装置。次に給紙する用紙が存在しかつ電源がＯＦＦ時に開閉が不可能な給紙装置がない場合、電源がＯＦＦ時に開閉が不可能な給紙装置はＯＦＦのまま先に非給電時に開閉可の給紙装置の電源をＯＮにすることを特徴とする。【選択図】図１
2015223759.tif 000002
【特許請求の範囲】
【請求項１】
個々の給紙装置毎に電源のＯＮとＯＦＦを切り替えることが可能である給紙装置が複数接続された画像形成装置（図１）であって、
前記給紙装置は、電源がＯＦＦの時の開閉が可能な給紙装置（３００）と、電源がＯＦＦの時に開閉が不可能な給紙装置（４００）の両方が存在する場合に、
電源ＯＮの給紙装置の用紙が不足した時（図１６）に、
各給紙装置の給電の有無と用紙情報を取得（Ｓ１６０２）し、
次に給紙する用紙が存在しかつ電源がＯＦＦ時に開閉が不可能な給紙装置がある場合（Ｓ１６０６）、
給紙を開始するのは、
次に給紙する用紙が存在してかつ電源がＯＦＦ時に開閉が不可能な給紙装置である（Ｓ１６０６）ことを特徴とする画像形成装置。
【請求項２】
個々の給紙装置毎に電源のＯＮとＯＦＦを切り替えることが可能である給紙装置が複数接続された画像形成装置（図１）であって、
前記給紙装置は、電源がＯＦＦの時の開閉が可能な給紙装置（３００）と、電源がＯＦＦの時に開閉が不可能な給紙装置（４００）の両方が存在する場合に、
電源ＯＮの給紙装置の用紙が不足した時（図１６）に、
各給紙装置の給電の有無と用紙情報を取得（Ｓ１６０２）し、
次に給紙する用紙が存在しかつ電源がＯＦＦ時に開閉が不可能な給紙装置がない場合（Ｓ１６０５，Ｓ１６０６）、
電源がＯＦＦ時に開閉が不可能な給紙装置はＯＦＦのまま
先に非給電時に開閉可の給紙装置の電源をＯＮにし、次に給紙する用紙が存在する確認し（Ｓ１６０８）、給紙する用紙が存在した場合には給紙を開始する（Ｓ１６０９）ことを特徴とする画像形成装置。
【発明の詳細な説明】
【技術分野】
【０００１】
本発明は、給紙装置を備える画像形成装置の制御方法に関するものである。
【背景技術】
【０００２】
画像形成装置は利便性と省電力の両立が求められてきており、さまざまな省電力機能を備える画像形成装置が登場してきている。特許文献１によると、省電力状態でジョブを受け取っても用紙切れなどでジョブを実行できない機械状態であれば、省電力状態を維持するという画像形成装置が開示されている。
【０００３】
画像形成装置は、大量に印刷するときや複数種類の用紙を印刷するときのために、複数の給紙装置を備える場合が多い。しかしながら、ジョブの実行中にはほとんどの給紙装置は使用されないため、さらなる省電力のために、ジョブで使用しない給紙装置への給電をしないなどの電力制御を行うことが可能である。
【先行技術文献】
【特許文献】
【０００４】
【特許文献１】特開２００５−３３５２５５号公報
【発明の概要】
【発明が解決しようとする課題】
【０００５】
省電力のために、用紙を使用しない時は給紙装置への給電をせず、ジョブ実行中にのみ給電を行うという制御が考えられる。しかしながら、電源を供給するのに適した給紙装置は、ジョブで使用する用紙の種類や給紙装置に存在する用紙によって異なる。もしも給紙を開始するために給紙装置への給電を開始しても、ジョブで使用する用紙が存在していなければ、給電を行うことになる。
【０００６】
画像形成装置に接続される給紙装置には、給紙装置への給電がされていない場合に手動で開閉できるものと、手動で開閉できないものがある。手動で開閉できる給紙装置は、給電していないときに用紙を入れ替えることが可能であるが、用紙が入れ替わったことを検知できない。これらのこと等を考慮して、より省電力に適した給紙装置の電力制御を行う。
【課題を解決するための手段】
【０００７】
本発明に係る画像形成装置の構成は、個々の給紙装置毎に電源のＯＮとＯＦＦを切り替えることが可能である給紙装置が複数接続された画像形成装置であって、前記給紙装置は、電源がＯＦＦの時の開閉が可能な給紙装置と、電源がＯＦＦの時の開閉が不可能な給紙装置の両方が存在する場合に、電源ＯＮの給紙装置の用紙が不足した時に、各給紙装置の給電の有無と用紙情報を取得し、次に給紙する用紙が存在しかつ電源がＯＦＦ時に開閉が不可能な給紙装置がある場合、給紙を開始するのは、次に給紙する用紙が存在してかつ電源がＯＦＦ時に開閉が不可能な給紙装置であることを特徴とする。
【発明の効果】
【０００８】
本発明によれば、電源がＯＦＦの給紙装置に用紙が存在する場合、非給電時に開閉不可の給紙装置に先に給電を行い、確実に１つの給紙装置への給電制御で給紙が開始できるので、給電の制御を行う給紙装置を最小にすることができる。
【図面の簡単な説明】
【０００９】
【図１】画像形成装置の全体図である。
【図２】画像形成装置のメインコントローラの制御構成を示すブロック図である。
【図３】非給電時に開閉可な給紙カセットのブロック図である。
【図４】非給電時に開閉不可な給紙デッキのブロック図である。
【図５】給紙デッキの電源を投入する際のフローチャートである。
【図６】給紙デッキの電源を切断する際のフローチャートである。
【図７】給紙カセットの電源を投入する際のフローチャートである。
【図８】給紙カセットの電源を切断する際のフローチャートである。
【図９】給紙デッキをオープンする際のフローチャートである。
【図１０】給紙デッキをクローズ擦り際のフローチャートである。
【図１１】用紙種類を検知する際のフローチャートである。
【図１２】用紙サイズを検知する際のフローチャートである。
【図１３】用紙残量を検知する際のフローチャートである。
【図１４】用紙の種類を登録する際の画面の一例である。
【図１５】用紙のサイズを登録する際の画面の一例である。
【図１６】用紙が不足した際の電源供給制御のフローチャートである。
【図１７】用紙が不足したことを示す警告画面の一例である。
【図１８】給紙装置の用紙情報の表の一例である。
【図１９】図１８の例において次に給紙する用紙毎の給電の順序の表である。
【発明を実施するための形態】
【００１０】
以下、本発明を実施するための最良の形態について図面を用いて説明する。
【実施例１】
【００１１】
本発明の実施形態について説明する。図１は、本発明の実施の形態に係る画像形成装置の全体構成を示す概略図である。図１において、１は画像形成装置本体であり、２、３、４はそれぞれ用紙Ｐを格納し、画像形成装置本体１に用紙Ｐを供給する給紙装置である。給紙装置２、３、４はそれぞれ同一構成を有する。５、６、７は、画像形成された用紙Ｐの製本、ステープル等の後処理を行う後処理装置であって、５はインサータ、６はスタッカー、７はフィニッシャーである。
【００１２】
画像形成装置本体１は、感光ドラム２９を備える。感光ドラム２９の周囲には、感光ドラム２９を一様に帯電させる一次帯電器２４と、用紙Ｐを感光ドラム２９から引き離すための分離帯電器２５と、転写されずに感光ドラム２９上に残ったトナーを回収するクリーナ２３とが配置されている。
【００１３】
給紙装置２、３、４は、それぞれ用紙Ｐを収納する用紙積載部１０、１１、１２と、用紙積載部１０、１１、１２に収納された用紙Ｐを１枚ずつ給紙する用紙給紙部９、８、１９とで構成される。また、給紙装置２、３、４は、用紙Ｐの紙面高さを用紙給紙部９、８、１９が給紙できる位置に調整する昇降トレイ１３、１４、１５と、用紙Ｐを搬送するための用紙搬送部１６、１７、１８とを備える。
【００１４】
給紙装置４５、４６は、それぞれ用紙Ｐを格納する用紙積載トレイであり、それぞれにトレイ開閉ボタン４７、４８を備える。
【００１５】
給紙装置２、３、４，４５，４６から画像形成装置本体１に給紙された用紙Ｐは、用紙検知センサ２７によって検知され、レジストローラ２６に突き当たり、スキューが補正された後に転写帯電器２４に搬送されてトナー像が転写される。その後、搬送ベルト２８によって定着ローラ３１方向に搬送される。
【００１６】
定着ローラ３１は一対のローラで構成される。対となっている定着ローラ３１の上側のローラはハロゲンヒータ３２が内蔵されている。また、定着ローラ３１の上側のローラの近傍にはサーミスタ３０が配置されており、定着ローラ３１の温度を検知している。このハロゲンヒータ３２によって、定着ローラ３１は高温が維持されている。定着ローラ３１を通過した用紙Ｐはインサータ５に搬送される。
【００１７】
インサータ５は、用紙Ｐを格納する用紙積載部３５と、用紙積載部３５に格納された用紙Ｐを給紙搬送する用紙搬送部３４と、用紙搬送部３４が用紙Ｐを給紙できるように用紙Ｐの紙面高さを持ち上げる昇降トレイ３６とで構成されている。
【００１８】
スタッカー６は、用紙Ｐを格納する用紙積載部３８と、用紙積載部３８に格納された用紙Ｐを搬送する用紙搬送部３７と用紙搬送部３７が用紙Ｐを給紙できるように用紙Ｐの紙面高さを持ち上げる昇降トレイ３９とで構成されている。スタッカー６は、フラッパー４０によって用紙Ｐの搬送経路が切り替えられる。図１のスタッカー６では、用紙Ｐを用紙積載部３８へ積載する場合と、下流装置へ搬送する場合とがある。
【００１９】
フィニッシャー７は、用紙Ｐを積載するための排紙トレイ４１を備え、搬送経路４３を介して排紙された用紙Ｐを排紙トレイ４１に積載する。フィニッシャー７内の点線で囲まれた部分４２は、サドルユニットであり、搬送経路４４を経由して搬送された用紙Ｐをサドル処理するものである。
【００２０】
操作部４９は、画像形成装置の印刷状況などを表示する表示装置と、印刷設定を受け付ける入力装置を備える。
【００２１】
図２は、画像形成装置本体１のメインコントローラ２００の制御構成を示すブロック図である。画像形成装置本体１のメインコントローラ２００は、ＣＰＵ２０５、ＲＡＭ２０６、操作部Ｉ／Ｆ２０７、ネットワークＩ／Ｆ２０８、モデム２０９、ＲＡＭ２０６又はＲＯＭ２１０又はＨＤＤ２１１、ＨＤＤ２１１を備える。また、イメージバスＩ／Ｆ２１３を介し、ＲＩＰＩ／Ｆ２１４、データ圧縮部２１５、デバイスＩ／Ｆ２１６、および画像処理部２１７を備える。また、２１２はＣＰＵバスであり、２２４はイメージバスである。
【００２２】
ネットワークＩ／Ｆ２０８には、外部機器とネットワークによって接続を行うためのネットワークケーブル２０３が接続される。モデム２０９には、外部機器と電話回線によって接続を行うための回線ケーブル２０４が接続される。ＣＰＵ２０５は、メインコントローラ２００全体を制御するためのプログラムを動作させる。ＲＡＭ２０６は、ＣＰＵ２０５上で動作するプログラムによって管理される。ＲＡＭ２０６は、外部から受信したデータを一時的に蓄えるための受信バッファやＲＩＰ２２１によってラスタライズされた画像データを一時的に蓄えるための画像データバッファ等の目的で使用される。ＲＡＭ２０６又はＲＯＭ２１０又はＨＤＤ２１１は、ＣＰＵ２０５上で動作するプログラムやデータ等を格納する。ＨＤＤ２１１は、さまざまなデータを長期的に保存することが可能な不揮発性の記憶装置である。
【００２３】
操作部Ｉ／Ｆ２０７は、操作部４９とメインコントローラ２００とを接続するためのインタフェースである。イメージバスＩ／Ｆ２１３は、ＣＰＵバス２１２とイメージバス２２４とを接続するためのインタフェースである。ＲＩＰＩ／Ｆ２１４には、データバス２１８を介してＲＩＰ２２１が接続される。ＲＩＰ２２１は、外部から入力される画像記述データをビットマップイメージデータに変換する機能を有するラスタライズボードである。ＲＩＰＩ／Ｆ２１４は、データバス２１８によってＲＩＰ２２１とイメージバス２２４を接続するためのインタフェースである。データ圧縮部２１５は、データを圧縮する。
【００２４】
また、デバイスＩ／Ｆ２１６には、データバス２１９を介して給紙装置２２２が接続され、データバス２２０を介してフィニッシャー２２３が接続され、データバス２２４を介して排紙装置２２５が接続される。ＣＰＵ２０５は、操作部４９又は外部機器からネットワークケーブル２０３を介して指示される信号に従って、データバス２１９、２２０を介して用紙積載装置２２２及びフィニッシャー２２３へ制御命令を発行する。画像処理部２１７は、ＲＩＰ２２１によって生成されたビットマップイメージデータに各種画像処理を施す。画像処理部２１７では、ビットマップイメージデータをデジタル的に処理する機能を備える。
【００２５】
図３は、給紙装置４５、４６のハード構成を表すブロック図である。給紙カセット３００は、給紙装置４５、４６の形態の一例である。図３において、制御ユニット３０２は、電源３０１に接続され、メインコントローラ２００のＣＰＵ２０５に命令に従って制御ユニットに接続された各ユニットを制御する。ピックアップモータ３０３は、用紙を搬送するときに給紙カセットの用紙を用紙搬送可な位置まで持ち上げる。用紙搬送モータ３０４は、ピックアップモータ３０３によって持ち上げられた用紙を画像形成装置本体１まで用紙を搬送する。ここでピックアップモータ３０３と用紙搬送モータ３０４は、制御ユニット３０２によって、用紙を搬送する間にのみ電源が供給される。カセットヒータ３０５は、制御ユニット３０２に接続され、給紙カセット内の温度と湿度を制御する。これにより、用紙の絶対水分量が一定以上の場合の吸着による重送を防ぐ。制御ユニット３０２は、たとえばコート紙が存在する場合に、給紙する前にカセットヒータ３０５に給電することにより温調が開始される。
【００２６】
扉開閉検知センサ３０６は、制御ユニット３０２によって給電され、給紙カセット３００の扉の開閉を検知し、メインコントローラ２００のＣＰＵ２０５に通知する。残量検知センサ３０６は、給紙動作中や扉が閉じるのを検知した時に、制御ユニット３０２によって給電され、給紙カセット３００に存在する用紙残量を検知しメインコントローラ２００のＣＰＵ２０５に通知する。
【００２７】
図４は、給紙装置２，３，４のハード構成を表すブロック図である。給紙デッキ４００は、給紙装置４５、４６の形態の一例である。図４において、制御ユニット４０２は、電源４０１に接続され、メインコントローラ２００のＣＰＵ２０５の命令に従って制御ユニットに接続された各ユニットを制御する。ピックアップモータ４０３は、用紙を搬送するときに給紙デッキから用紙をピックアップするときに制御ユニット４０２によって給電される。用紙搬送モータ４０８は、ピックアップモータ４０３が用紙をピックアップした時に制御ユニット４０２によって給電され、画像形成装置本体１まで用紙を搬送する。ここでピックアップモータ４０３と用紙搬送モータ４０８は、制御ユニット４０２によって、用紙を搬送する間にのみ電源が供給される。
【００２８】
リフタアップモータ４０７は、給紙時にピックアップモータ４０３がピックアップ可能なように紙面の高さを調整するときに制御ユニット４０２によって給電される。
【００２９】
ＬＥＤ４０４は、制御ユニット４０２に接続され、点滅などにより、用紙の残量や用紙補給が必要であることを示す。エアヒータ４０５は、制御ユニット４０２に接続され、給紙デッキ４００内部の温度と湿度を制御する。これにより、用紙の絶対水分量が一定以上の場合の吸着による重送を防ぐ。制御ユニット４０２は、コート紙が存在する場合等に、給紙前にカセットヒータ４０５に給電することによりエアヒータによる温調が開始される。
【００３０】
残量検知センサ４０６は、給紙動作中や扉が閉じるのを検知した時に、制御ユニット４０２によって給電され、給紙デッキ４００に存在する用紙残量を検知しメインコントローラ２００のＣＰＵ２０５に通知する。
【００３１】
ファン４１０は、給紙時の捌き、用紙の分離のためなどに使用され、給紙デッキ４００内部の環境や存在する用紙の種類によって、制御ユニット４０２によって最適に制御される。
【００３２】
デッキオープンソレノイド４０９は、給紙デッキ４００の扉を開くときに、制御ユニット４０６によって給電されることによって、扉が開く。
【００３３】
扉開閉検知センサ４１２は、制御ユニット４０２によって給電され、給紙デッキの扉の開閉を検知し、メインコントローラ２００のＣＰＵ２０５に通知する。
【００３４】
扉開閉ボタン４１３は、制御ユニット４０２によって給電され、ボタン押下を検知すると、制御ユニットを通してメインコントローラ２００のＣＰＵ２０５に通知される。
【００３５】
図５は、給紙デッキ４００に電源を投入する際の流れを示すフローチャートであり、制御ユニット４０２が行う。Ｓ５０１で、メインコントローラ２００のＣＰＵ２０５により電源投入指示があると、制御ユニット４０２は、各センサをＯＮする。扉開閉検知センサ４１２や残量検知センサ４０６がＯＮされるので、制御ユニット４０２が給紙デッキ４００の扉の開閉状態や用紙残量を取得することができる。次にＳ５０２で、制御ユニット４０２は、給紙デッキが閉じているかを判断する。給紙デッキ４００の扉が開いている場合は、閉じるのを待つ。給紙デッキが閉じているとき、Ｓ５０３に進み、制御ユニットはＬＥＤを点灯させる。ＬＥＤの点灯は、給紙デッキ４００が給紙準備状態中に移行したことを示す。
【００３６】
Ｓ５０４で、制御ユニット４０２は、Ｓ５０１でＯＮにした残量検知センサ４０６により用紙が存在するかどうかを判断する。Ｓ５０４で給紙デッキ４００に用紙が存在する場合、Ｓ５０５に進む。Ｓ５０５で、制御ユニット４０２は、リフタアップモータ４０７を制御することによってリフタを上昇させる。これにより、制御ユニット４０２がメインコントローラ２００のＣＰＵ２０５から給紙デッキ４００に給紙の指示がきたときにすぐに給紙を開始することができる。次にＳ５０６に進み、制御ユニット４０２は、ファン４１０への給電を制御することにより、給紙デッキ４００内の風量を調整する。次にＳ５０７に進み、制御ユニットはエアヒータ４０５への給電を制御することにより、給紙デッキ４００内の温度と湿度を制御する。ここでエアヒータの強弱は、給紙デッキ４００に存在する用紙の種類によって変わる。
【００３７】
Ｓ５０４で給紙デッキ４００に用紙が存在しない場合、Ｓ５０８に進む。Ｓ５０８で、制御ユニット４０２は、リフタアップモータ４０７を制御することによってリフタを下降させる。次にＳ５０９に進み、制御ユニット４０２はファン４１０への給電を制御することにより、給紙デッキ４００内の風量を調整する。次にＳ５１０に進み、制御ユニットはＬＥＤへの給電を止め、ＬＥＤを消灯する。ＬＥＤの消灯は、給紙デッキ４００内に用紙が存在しないことを示す。
【００３８】
次に、給紙装置への電源投入と電源切断の時の処理を説明する。図６は、給紙デッキ４００の電源を切断する際の流れを示すフローチャートであり、制御ユニット４０２が行う。Ｓ６０１で、制御ユニット４０２は、メインコントローラ２００のＣＰＵ２０５により電源切断指示を受けるとまずＬＥＤへの給電を止め、ＬＥＤを消灯する。次に、Ｓ６０２に進み、制御ユニット４０２は、エアヒータへの給電を止る。次にＳ６０３に進み、制御ユニット４０２はファン４１０を制御しているかどうかを判断する。
【００３９】
Ｓ６０３でファン稼働中である場合、Ｓ６０４に進み、制御ユニット４０２はファンへの給電を止め、ファンを停止し、Ｓ６０５に進む。
【００４０】
Ｓ６０３でファン稼働中ではない場合、Ｓ６０５に進む。Ｓ６０５で、制御ユニット４０２は、各センサへの給電を停止する。
【００４１】
図７は、給紙カセット３００の電源を投入する際の流れを示すフローチャートであり、制御ユニット３０２が行う。Ｓ７０１で、制御ユニット３０２は、給紙カセット３００の扉が閉じられているかを判断する。給紙デッキ３００の扉が開いている場合は、閉じるのを待つ。給紙デッキが閉じているとき、Ｓ７０２に進む。Ｓ７０２で、制御ユニットは給紙カセット３００に用紙が存在するかを判断する。Ｓ７０２で用紙が存在する場合、Ｓ７０３に進む。Ｓ７０３で、制御ユニット３０２は、カセットヒータ３０５への給電を制御することによって給紙カセット３００内の温度と湿度を制御し、Ｓ７０４に進む。Ｓ７０３でのカセットヒータの強弱は、給紙カセット３００内に存在する用紙の種類によって変わる。Ｓ７０２で用紙が存在しない場合、Ｓ７０４に進む。
【００４２】
Ｓ７０４で、制御ユニット７０４は、ファン３０８への給電を制御することによって、給紙カセット３００内の風量を調整する。
【００４３】
図８は、給紙カセット３００の電源を切断する際に制御ユニット３０２が行う処理の流れを示すフローチャートである。Ｓ８０１で、制御ユニット３０２は、カセットヒータ３０５への給電を停止する。Ｓ８０２で、制御ユニットは、ファン３０８が稼働中であるかを判断する。Ｓ８０２で、ファン３０８が稼働中であった場合、Ｓ８０３に進み、制御ユニット３０２はファン３０８への給電を停止し、Ｓ８０４に進む。Ｓ８０２で、ファン３０８が稼働中でなかった場合、Ｓ８０４に進む。
【００４４】
Ｓ８０４で、制御ユニット３０２は、各センサへの給電を停止し、センサを停止する。      
【００４５】
図９は、給紙デッキ４００に給紙をするために給紙デッキ４００を開く際に、制御ユニット４０２が行う処理の流れを示すフローチャートである。Ｓ９０１で、扉開閉ボタン４１３が押されたことを検知すると、Ｓ９０２に進み、給紙ユニット４０２は、リフタアップモータ４０７を制御し、リフタを下降させる。次にＳ９０３に進み、制御ユニット４０２は、カセットオープンソレノイドへの給電を制御することによって、給紙デッキ４００の扉を開ける。
【００４６】
図１０は、給紙デッキ４００の扉が閉じられた際に、制御ユニット４０２が行う処理の流れを示すフローチャートである。Ｓ１００１で、制御ユニットは、扉開閉検知センサ４１２により、給紙デッキ４００の扉が閉じられたことを検知すると、制御ユニット４０２は、リフタアップモータ４０７を制御し、リフタを上昇させ紙面の高さを調整する。
【００４７】
以上のように、給紙デッキ４００の扉の開閉には、制御ユニット４０２からの給電が必要なため、給紙デッキ４００の電源が入っていない時には、扉を開閉することができない。
【００４８】
カセットデッキ３００の扉の開閉の際に、カセットデッキ３００の制御ユニット３０２が行う処理はない。カセットデッキ３００は、電源が入っていない時にも扉を開閉することができる。
【００４９】
次に、給紙装置内の用紙を検知する処理について説明する。図１１は、メインコントローラ２００のＣＰＵ２０５が、各給紙装置に登録された用紙の種類を取得する際に行う処理の流れを示すフローチャートである。用紙の種類は、操作部４９より給紙装置ごとに登録でき、登録情報はメインコントローラ２００内にあるＲＡＭ２０６又はＲＯＭ２１０又はＨＤＤ２１１に保存される。Ｓ１１０１で、メインコントローラ２００のＣＰＵ２０５は、ＲＡＭ２０６又はＲＯＭ２１０又はＨＤＤ２１１に保存された、各給紙装置に登録された用紙種類を取得する。
【００５０】
図１４は、用紙種類の登録を行う際にメインコントローラ２００のＣＰＵ２０５が操作部４９に表示する画面の一例である。操作部４９より給紙装置に登録された用意種類は、メインコントローラ２００のＣＰＵ２０５が、ＲＡＭ２０６又はＲＯＭ２１０又はＨＤＤ２１１に保存する。
【００５１】
図１２は、メインコントローラ２００のＣＰＵ２０５が、各給紙装置に存在する用紙のサイズを取得する際に行う処理の流れを示すフローチャートである。Ｓ１２０１で、メインコントローラ２００のＣＰＵ２０５は、ＲＡＭ２０６又はＲＯＭ２１０又はＨＤＤ２１１内に給紙装置にカスタムサイズの登録がされているかを判断する。カスタムサイズの登録がある場合、Ｓ１２０４に進み、メインコントローラ２００のＣＰＵ２０５はＲＡＭ２０６又はＲＯＭ２１０又はＨＤＤ２１１から登録されたサイズを取得する。
【００５２】
Ｓ１２０１で、カスタムサイズの登録がされていない場合、Ｓ１２０２に進む。Ｓ１２０２で、ＣＰＵ２０５がサイズ自動検知可能かどうかを判断する。サイズ自動検知可能である場合Ｓ１２０３に進み、メインコントローラ２００のＣＰＵ２０５は、検知したサイズを取得する。
【００５３】
Ｓ１２０２でサイズ検知可能でない場合は、Ｓ１２０４に進み、メインコントローラ２００のＣＰＵ２０５はＲＡＭ２０６又はＲＯＭ２１０又はＨＤＤ２１１から登録されたサイズを取得する。
【００５４】
図１５は、用紙サイズの登録を行う際にメインコントローラ２００のＣＰＵ２０５が操作部４９に表示する画面の一例である。操作部４９より給紙装置に登録されたサイズは、メインコントローラ２００のＣＰＵ２０５が、ＲＡＭ２０６又はＲＯＭ２１０又はＨＤＤ２１１に保存する。
【００５５】
図１３は、メインコントローラ２００のＣＰＵ２０５が、各給紙装置の用紙残量を取得する際に行う処理の流れを示すフローチャートである。Ｓ１３０１で、メインコントローラ２００のＣＰＵ２０５は、用紙残量を取得する。ここでは、給紙カセット３００の場合、制御ユニット３０２が残量検知センサ３０６を用いて取得した用紙残量を画像形成装置本体の１のＣＰＵ２０５が取得し、ＲＡＭ２０６又はＲＯＭ２１０又はＨＤＤ２１１に保存する。給紙デッキ４００の場合、制御ユニット４０２が残量検知センサ３０６を用いて取得した用紙残量をメインコントローラ２００のＣＰＵ２０５が取得し、ＲＡＭ２０６又はＲＯＭ２１０又はＨＤＤ２１１に保存する。
【００５６】
次に、図１６のフローチャートを用いて、本発明に係るジョブ受信時またはジョブ中に用紙が不足した時にメインコントローラ２００のＣＰＵ２０５が行う給紙装置の制御方法について説明する。Ｓ１６０１で、ＣＰＵ２０５は、給紙カセット３００の制御ユニット３０２と、給紙デッキ４００の制御ユニット４０２に対し、給紙装置の給電の有無を問い合わせ、各給紙装置の給電の有無を判断する。Ｓ１６０２でＣＰＵ２０５は、ＲＡＭ２０６又はＲＯＭ２１０又はＨＤＤ２１１に保存された各給紙装置の用紙情報を取得する。Ｓ１６０３でＣＰＵ２０５は、ジョブで指定されている、次に給紙する用紙情報を取得する。Ｓ１６０４でＣＰＵ２０５は、Ｓ１６０１、Ｓ１６０２で取得した給紙装置の給電の有無と各給紙装置の用紙情報をもとに、給電中の給紙装置に、次に給紙する用紙があるかを判断する。給電中の給紙装置に次に給紙する用紙がある場合、Ｓ１６１４に進み、給紙を開始する。Ｓ１６０４で給電中の給紙装置に次に給紙する用紙がない場合、Ｓ１６０５に進む。Ｓ１６０５でＣＰＵ２０５は、非給電中の給紙装置に、次に給紙する用紙があるかを判断する。
【００５７】
Ｓ１６０５で非給電中の給紙装置に次に給紙する用紙がある場合、Ｓ１６０６に進む。Ｓ１６０６に進む。Ｓ１６０６で、次に給紙する用紙がある給紙装置のうち、非給電時に開閉できない給紙デッキ４００があるかどうかを判断する。Ｓ１６０６で、用紙ありかつ開閉不可の給紙装置がある場合、Ｓ１６１４に進みＣＰＵ２０５は給紙を開始する。ここで、非給電時に開閉できない給紙デッキ４００には、非給電時に用紙が入れ替えられていないことが保証できるので、確実に給紙を開始することができる。
【００５８】
Ｓ１６０５で非給電中の給紙装置に次に給紙する用紙がなかった場合と、Ｓ１６０６で次に給紙する用紙はあったが非給電時に開閉不可の給紙デッキ４００がなかった場合、Ｓ１６０７に進む。Ｓ１６０７で、ＣＰＵ２０５は、非給電時に開閉可の給紙カセット３００があるかどうかを判断する。非給電時に開閉可の給紙装置がある場合、Ｓ１６０８に進む。
【００５９】
Ｓ１６０８で、ＣＰＵ２０５は、給紙カセット３００の制御ユニット３０２に給電を開始する指示をし、制御ユニット３０２は、給紙カセット３００に給電する。Ｓ１６０９で、ＣＰＵ２０５は、Ｓ１６０８で給電を開始した給紙カセット３００に次に給紙する用紙があるか判断する。Ｓ１６０９で次に給紙する用紙がある場合、Ｓ１６１４に進み、給紙を開始する。Ｓ１６０９で次に給紙する用紙がない場合、Ｓ１６１０に進む。Ｓ１６１０でＣＰＵ２０５は、他に非給電時に開閉可の給紙装置があるかどうかを判断する。Ｓ１６１０で他に非給電時に開閉可の給紙装置がある場合、Ｓ１６０８に進む。Ｓ１６０７とＳ１６１０で他に非給電時に開閉可の給紙装置がない場合Ｓ１６１１に進み、ここで全ての給紙装置に次に給紙する用紙がないので、用紙が補給可能なように、給紙デッキ４００の制御ユニット４０２に給電を開始する指示をし、全ての給紙装置が給電された状態にする。次にＳ１６１２に進み、ＣＰＵ２０５は用紙が不足する旨を示す警告画面を操作部４９に表示する。図１７は、操作部４９に表示する警告画面の一例である。次にＳ１６１３に進み、次に補給する用紙があるかを判断する。Ｓ１６１３でユーザにより用紙が補給され次に給紙する用紙がある場合、Ｓ１６１４に進み、ＣＰＵ２０５は給紙を開始する。Ｓ１６１３で次に給紙する用紙がない限り、Ｓ１６１２に進み、警告表示を継続する。
【００６０】
図１８は、画像形成装置に接続された給紙装置用紙情報の表の一例である。図１８では、給紙カセット３００が２台、給紙デッキ４００が３台接続されている。図１９は、図１８の例において次に給紙する用紙毎の給電の順序の表である。図１８と図１９を用いて、ＣＰＵ２０５がフローチャート１６の処理を行った際に給電される給紙段の順序を説明する。ここでは、処理の開始時は給紙装置が全て非給電であったとする。次に給紙する用紙がＡ３普通紙１であった場合、非給電時に開閉不可の給紙デッキＣのみを給電し給紙を開始する。次に給紙する用紙がＡ４色紙であった場合も同様に、給紙デッキＢのみを給電し給紙を開始する。次に給紙する用紙がＡ３厚紙である場合、非給電時に開閉不可の給紙デッキには用紙がないため給紙カセットＡ、給紙カセットＢと給電していき、用紙が存在する給紙カセットＢから給紙を開始する。次に給紙する用紙がＡ４厚紙である場合、給紙カセットＡ、給紙カセットＢと給電していくが、用紙が存在しないため操作部４９に警告が表示される。
【００６１】
以上により、非給電中の給紙装置に用紙が存在する場合、非給電時に開閉不可の給紙デッキ４００に先に給電を行い、確実に１つの給紙装置への給電制御で給紙が開始できるので、給電の制御を行う給紙装置を最小にすることができる。
【００６２】
また、給紙デッキ４００に用紙がない場合に、給紙デッキ４００には給電を行わず、先に給紙カセットへの給電を行うので、給紙カセット３００に給紙する用紙が存在する場合にも、給電の制御を行う給紙装置を少なくすることができる。
【符号の説明】
【００６３】
１  画像形成装置本体、２、３、４  給紙装置、５  インサータ、
６  スタッカー、７  フィニッシャー
【図２】
2015223759.tif 000003
【図３】
2015223759.tif 000004
【図１８】
2015223759.tif 000005
【図１９】
2015223759.tif 000006
【図１】
2015223759.tif 000007
【図４】
2015223759.tif 000008
【図５】
2015223759.tif 000009
【図６】
2015223759.tif 000010
【図７】
2015223759.tif 000011
【図８】
2015223759.tif 000012
【図９】
2015223759.tif 000013
【図１０】
2015223759.tif 000014
【図１１】
2015223759.tif 000015
【図１２】
2015223759.tif 000016
【図１３】
2015223759.tif 000017
【図１４】
2015223759.tif 000018
【図１５】
2015223759.tif 000019
【図１６】
2015223759.tif 000020
【図１７】
2015223759.tif 000021